(57)【要約】【課題】本願は、薄型、小型化を図った変圧器を提供する。【解決手段】本願の変圧器１０は、コア挿入孔２０ａを有し、前記コア挿入孔２０ａの外周に渦巻き状の導体パターン２１が同一方向に形成されているコイル体２０が積層されているとともに、前記導体パターン２１が連続して電気的に接続されている一次側コイルユニット１１及び二次側コイルユニット１６が互いに絶縁した状態で重ねられてコア２、４に実装され、前記一次側コイルユニット１１の信号線３１ａ、３４ｂと、二次側コイルユニット１６の信号線３６ａ、３７ｂが前記コア２、４の外部に引き出されている。【選択図】図１
2007157782.tif 000002
【特許請求の範囲】
【請求項１】
コア挿入孔を有し、前記コア挿入孔の外周に渦巻き状の導体パターンが同一方向に形成されているコイル体が積層されているとともに、前記導体パターンが連続して電気的に接続されている一次側コイルユニット及び二次側コイルユニットが互いに絶縁された状態で重ねられてコアに実装され、
前記一次側コイルユニットの信号線と、二次側コイルユニットの信号線が前記コアの外部に引き出されていることを特徴とする変圧器。
【請求項２】
前記一次側及び二次側コイルユニットの信号線は同一方向に並べて引き出されていることを特徴とする請求項１に記載の変圧器。
【発明の詳細な説明】
【技術分野】
【０００１】
本発明は、電源装置に用いられる変圧器に関し、特に、電磁誘導作用を用いて電力を伝送する非接触型電力伝送装置の受電装置に適用される変圧器に関する。
【背景技術】
【０００２】
所定の電圧を変換する方式として、例えば、溝部を有するコアの当該溝部に環状の一次側及び二次側コイルを実装してなる変圧器が知られている。この一次側及び二次側コイルは、通常、丸形状のコイル線を複数巻いて使用している。また、一般に、電圧の変換は、一次側コイルの巻数と二次側コイルの巻数の比率を変えることにより行われる。
【０００３】
一方、近年、種々の表示装置に関する研究開発が盛んに行われているが、その一つとして、有機ＥＬ（Electro Luminescence）表示装置が実用段階にまで開発されている。当該有機ＥＬ表示装置は、その構造上、紙のように薄く且つ曲げることも可能な表示装置として構成するがことできるという特徴点を有しており、この特徴点の応用として、ポスター等の掲示物自体を有機ＥＬ表示装置により構成することで、発光により掲示物としての視覚的な効果を格段に向上させた当該掲示物も実現可能である。
【０００４】
ここで、上記の如く有機ＥＬ表示装置により掲示物を構成する場合、当然ながらその掲示時において当該掲示物としての有機ＥＬ表示装置に対してその駆動のための電力を供給することが必要となる。そして、掲示物の特性として、壁などの掲示場所に対して着脱可能とする必要があることを考慮したとき、従来の方法による電力の供給として考えられるのは、上記掲示場所と掲示物夫々に電気的な接点を設け、これを介して当該掲示場所に設けられた電力供給源から当該掲示物に電力を供給する構成が考えられる。
【０００５】
しかしながら、このような電気的な接点を介した電力供給の場合、着脱を何度も繰り返すことで電気的な接触度が低下し（すなわち、当該接点における抵抗値が増大し）、これにより電力供給が非効率になってくる場合があるという問題点がある。また、電気的な接点の場合は金属部分が外気に露出することとなるため、腐食又は錆び等の発生や安全性の問題から、屋外の掲示物に対する給電には採用できないという問題点もある。
【０００６】
そこで、このような問題点に鑑み、上述した発光式の掲示物に対する給電方法として、従来の電気的な接点を用いる方法ではなく、電磁誘導作用を用いた非接触式の給電方法が検討されている。すなわち、掲示物としての有機ＥＬ表示装置の裏面に受電コイル、有機ＥＬを駆動する駆動回路を含む受電装置を設け、別体として給電コイルを含む給電装置を設け、当該給電コイルを受電コイルと対向する位置に重ね合わせるように近接させ、この給電コイルに電流を流すことで電磁誘導作用によりその給電コイルに対向する位置にある受電コイルに誘導電流を生じさせ、この誘導電流を所定の電圧に昇圧し、掲示物としての有機ＥＬ表示装置を駆動するのである。
【０００７】
ここで、掲示物に取り付けられるため、見栄えが良いように、受電装置は薄型にする必要がある。
【発明の開示】
【発明が解決しようとする課題】
【０００８】
従来の変圧器に使用されるコイルは通常、丸形状のコイル線を使用しており、巻数を多くする場合には、隣接するコイル線が線接触となり、コイル形状が体積的に大きくなる。よって、そのコイルを収容するコアの容積も大きくする必要があり、コアも大型化する。このような場合において、コイルは、面接触となる平角線も使用できるが、断面が細いコイル線の代わりにはならない。
【０００９】
また、電流が少ない場合は、細いコイル線を使用できるが、そのままのコイル線の引き出しは、断線などの障害が生じる可能性があるため、例えば、コイルベースを使用して、そのコイルベース上にコイル線を引き出すが、その際、コイルベースとの接続が困難で、また、接続部を固定するなどの保護が必要となり、組立に時間を要するとともにコストが増すなどの問題点がある。
【００１０】
また、変圧器は、薄型、小型化が望まれており、コアサイズに限界がある場合、その巻数には限界がある。
【００１１】
本願は、上記の問題点に鑑みて為されたもので、薄型、小型化を図った変圧器を提供することを目的とする。
【課題を解決するための手段】
【００１２】
上記の課題を解決するために、請求項１に記載の変圧器（１０）は、コア挿入孔（２０ａ）を有し、前記コア挿入孔の外周に渦巻き状の導体パターン（２１）が同一方向に形成されているコイル体（２０）が積層されているとともに、前記導体パターンが連続して電気的に接続されている一次側コイルユニット（１１）及び二次側コイルユニット（１６）が互いに絶縁された状態で重ねられてコア（２、４）に実装され、前記一次側コイルユニットの信号線（３１ａ、３４ｂ）と、二次側コイルユニットの信号線（３６ａ、３７ｂ）が前記コアの外部に引き出されていることを特徴とする。
【００１３】
また、請求項２に記載の変圧器は、請求項１に記載の変圧器において、前記一次側及び二次側コイルユニットの信号線は同一方向に並べて引き出されていることを特徴とする。
【発明を実施するための最良の形態】
【００１４】
次に、本発明を実施するための最良の形態について、図１乃至図６を用いて説明する。まず、本願の変圧器１０について、図１乃至図４を用いて説明する。図１は本願の変圧器の構成図、図２は本願の変圧器の内部の構造を示す断面図、図３は一次側コイルと二次側コイルの配線状態を示す図、図４は本願の変圧器の平面図である。
【００１５】
図１及び図２に示すように、本実施形態の変圧器１０は、フェライトで形成されたＰＭ型のコア２及びＩ型のコア４と、当該コア２、４間に配置される環状の一次側コイルユニット１１及び二次側コイルユニット１６と、を備えて構成されている。なお、一次側コイルユニット１１と二次側コイルユニット１６の間は互いに絶縁されて積層されている。
【００１６】
一次側及び二次側コイルユニット１１、１６は、薄型のコイル体２０を積層して構成されており、磁気回路を形成している。また、変圧器１０は、一次側コイルユニット１１の出力電圧を所定の電圧に変圧して二次側コイルユニット１６から出力する。
【００１７】
ＰＭ型のコア２は、両側部に側壁２ａ、２ａが立設され、中央部に円柱状の突起３が形成されている。この突起３の両側部周囲には一次側及び二次側コイルユニット１１、１６が配置される円弧状の溝（収納部２ｂ）が形成されている。また、コア２の両端部２ｃが切り欠かれてその両端部２ｃは開口して形成されている。
【００１８】
Ｉ型のコア４は、直方体形状に形成されており、ＰＭ型のコア２の上面に取り付けられている。
【００１９】
一次側コイルユニット１１と二次側コイルユニット１６は、双方とも、中央にコア２の突起３と嵌合する本願のコア挿入孔として機能する孔２０ａを有し、孔２０ａの周囲はコイル線２１ａによって渦巻き状の導体パターン２１が形成され、この導体パターン２１が絶縁材２２で被覆され、コイル線２１ａの端部２１ｂがその絶縁体２２から露出してなる円形状のコイル体２０が複数積層されて構成されている。この積層されたコイル体２０の各コイル線２１ａは同一方向に渦を巻いて形成されている。また、一次側及び二次側コイルユニット１１、１６を構成する複数のコイル体２０の導体パターン２１は、連続して電気的に接続されている。
【００２０】
次に、一次側コイルユニットと二次側コイルユニットの具体的な配線状態について図３を用いて説明する。
【００２１】
図３に示すように、二次側コイルユニット１６は、例えば、４枚のコイル体２０を積層して構成されており、最上層のコイル体３１は、コア２、４の開口から引き出されて露出されたコイル線２１ａの端部３１ａを巻き始めとし、当該コイル線２１ａが外周から内周に向かうにつれ、径が小さくなるように渦巻き状に巻かれて導体パターン２１が形成されている。このコイル線２１ａの巻き始めの端部３１ａは、二次側コイルの信号線として前記コア２、４の開口から引き出されている。コイル線２１ａの最内周端部３１ｂは、下面に向けてスルーホールにより、垂直に落とし、下面に露出している。このコイル線２１ａの端部３１ｂは下層のコイル体３２の端部３２ａと電気的に接続されている。このコイル体３２は、コイル線２１ａが、最上層の下面に露出したコイル線２１ａの端部３１ｂの下方に対応する点を始点とし内周から外周に向かうにつれ、径が大きくなるように渦巻き状に巻かれて導体パターン２１が形成されており、その外周側の上面にコイル線２１ａの端部３２ｂを露出してその部分を当該コイル線２１ａの終点としている。次いで、その下層のコイル体３３は、コイル線２１ａが、上層のコイル線２１ａの終点となる端部３２ｂと電気的に接続され、当該外周側の上面に露出して形成されたコイル線２１ａの端部３３ａを始点として、外周から内周に向かうにつれ、径が小さくなるように渦巻き状に巻かれて導体パターン２１が形成されている。最後に、最下層のコイル体３４は、上記最上層とその下層のコイル線２１ａと同様に、上層のコイル体３３のコイル線２１ａの終点としての端部３３ｂとコイル体３４のコイル線２１ａの端部３４ａ（始点）が接続されて、このコイル線２１ａが、内周から外周に向かうにつれ、径が大きくなるように渦巻き状に巻かれて導体パターン２１が形成されている。このコイル線２１ａの端部３４ｂ（終点）は、二次側コイルユニット１６の信号線として前記コア２、４の開口から引き出されている。
【００２２】
このように、二次側コイルユニット１６のコイル線２１ａの始点となる当該最上層のコイル体３１のコイル線２１ａの端部３１ａと、当該コイル線２１ａの終点となる最下層のコイル体３４のコイル線２１ａの端部３４ｂは、二次側コイルユニット１６の信号線として同一方向に延ばされて配置されている。
【００２３】
一方、一次側コイルユニット１１は、二次側コイルユニット１６の下側に絶縁された状態で配置され、２枚のコイル体３６、３７を積層して構成されている。一次側コイルユニット１１の最上層のコイル体３６は、コア２、４の開口から引き出されて露出されたコイル線２１ａの端部３６ａを巻き始めとし、外周から内周に向かうにつれ、径が小さくなるように渦巻き状に巻かれて導体パターン２１が形成されている。このコイル線２１ａの巻き始めの端部３６ａは、一次側コイルユニット１１の信号線として前記コア２、４の開口から引き出されている。コイル線２１ａの最内周端部３６ｂは、裏面に向けてスルーホールにより、垂直に落とし、下面の露出している。このコイル線２１ａの端部３６ｂは、下層のコイル体３７の端部３７ａと電気的に接続されている。このコイル体３７は、コイル線２１ａが、最上層のコイル体３６の下面に露出したコイル線２１ａの端部３６ｂの下方に対応する点を始点とし内周から外周に向かうにつれ、径が大きくなるように渦巻き状に巻かれて導体パターン２１が形成されており、その外周側の上面にコイル線２１ａの端部３７ｂを露出してその部分を当該コイル線２１ａの終点としている。
【００２４】
このように、一次側コイルユニット１１のコイル線２１ａの始点となる当該最上層のコイル体３６のコイル線２１ａの端部３６ａと、当該コイル線２１ａの終点となる最下層のコイル体３７のコイル線２１ａの端部３７ｂは、一次側コイルユニット１１の信号線として同一方向に延ばされて配置されている。
【００２５】
また、一次側コイルユニット１１の信号線として機能するコイル線２１ａの端部３１ａ、３４ｂと二次側コイルユニット１６の信号線として機能するコイル線２１ａの端部３６ａ、３７ｂは、図４に示すように、上方視して、同一方向に並列に並べて配置される。また、信号線として機能するコイル線２１ａの端部３４ｂ、３６ｂ、３７ｂは、最上層のコイル体３１のベース面に引き出され、同一方向に並列に並べて配置される。
【００２６】
このように構成された変圧器１０は、コイル体２０（３１〜３４、３６、３７）の積層枚数を変えることによって、容易に所定の電圧に変圧できるので、その調整が容易であるとともに、コイル体２０をコア２の突起３に嵌め込むだけでコア２、４内に容易に実装することができるので組立性が良い。
【００２７】
また、一次側及び二次側コイルユニット１１、１６が、コイル体２０の積層によって構成されているので、一次側及び二次側コイルユニット１１、１６の信号線として機能するコイル線２１ａの端部３１ａ、３４ｂ、３６ａ、３７ｂを引き出すことが容易であり、且つ薄型の変圧器１０として構成することができる。
【００２８】
次に、上記のように構成された本発明の変圧器を後述する給電装置と受電装置を含んで構成される非接触型電力伝送装置の受電装置における直流電源回路としてのＤＣ／ＤＣコンバータ回路（変圧部５４）に適用した場合について図５乃至図８を用いて説明する。
【００２９】
なお、以下に説明する実施形態は、給電装置Ｂと受電装置Ａを含んで構成される非接触型電力伝送装置を用いて掲示物Ｐを表示する掲示物表示装置Ｓであり、具体的には、平面ディスプレイとしての有機ＥＬディスプレイ（以下、単に「ディスプレイ７０」と称する。）の表面にポスターとして用いられる紙面４５（掲示物Ｐ）を配置し、裏面に前記ディスプレイ７０を駆動する受電装置Ａを取り付け、壁面Ｗにそのディスプレイ７０の駆動用の電力を供給する給電装置Ｂを埋め込んで取り付け、前記給電装置Ｂに対して受電装置Ａを重ね合わせるように近接させて前記ディスプレイ７０を壁面Ｗに取り付けた際に、前記ディスプレイ７０を発光させ、掲示物Ｐの裏面から光を当てて、当該掲示物Ｐを強調して表示するものである。
【００３０】
図５は掲示物表示装置の概要を示す外観斜視図、図６は非接触型電力伝送装置の構成を示すブロック図、図７は給電装置の構造図、図８は受電装置の構造図である。
【００３１】
図５及び図６に示すように、本実施形態に係る掲示物表示装置Ｓは、例えば、壁面Ｗに取り付けられるディスプレイ７０と、このディスプレイ７０の裏面に取り付けられ、かつディスプレイ７０に電力を供給して駆動させる受電装置Ａを含んで構成される受電ユニットＡＵと、この受電装置Ａに正対させ、非接触の電磁誘導作用により受電装置Ａに給電する給電装置Ｂを含んで構成される給電ユニットＢＵとから大略構成され、この給電ユニットＢＵは、好ましくは、上記壁面Ｗに埋設され、交流電源に接続されている。
【００３２】
ディスプレイ７０の表面には掲示物Ｐが取り付けられて掲示されており、この掲示物Ｐには、例えば、文字や絵が描かれており、当該掲示物Ｐは、ポスターとして機能するものである。本実施形態の掲示物表示装置Ｓは、ディスプレイ７０を発光させて掲示物Ｐを背面から照らして使用されるものである。なお、ディスプレイ７０に絵や文字を表示して掲示物として機能させるようにしても構わない。
【００３３】
また、給電装置Ｂは、受電装置Ａに電力を供給（給電）する装置である。前記給電装置Ｂを用いて受電装置Ａに電力を供給する場合には、前記受電装置Ａを給電装置Ｂに近接させ重ね合わせるように配置する。具体的には、図５に示すように、受電装置Ａを給電装置Ｂに近接させ、給電コイル６１を含む給電コア６２と受電コイル５１を含む受電コア５２とが平行に対向し、且つ例えば２ミリメートル程度の距離に近接するように給電装置Ｂに対して受電装置Ａを配置する。
【００３４】
このように配置された給電装置Ｂの給電コイル６１に電圧を印加することによって受電コイル５１が電磁誘導作用により誘導起電力を発生し、受電装置Ａは、前記給電装置Ｂから電力を受電することが可能となる。
【００３５】
このように構成された掲示物表示装置Ｓは、上記に示すように、給電装置Ｂを用いて、非接触で受電装置Ａに電力を伝送し、ディスプレイ７０を発光させて掲示物Ｐを強調させることができる。
【００３６】
なお、受電ユニットＡＵは、給電装置Ｂから伝送された電力を後述する受電装置Ａの変圧部５４で所定の電力に昇圧し、当該変換された電力によって駆動部５５を介してディスプレイ７０を発光させる。
【００３７】
次に、本実施形態に係る非接触型電力伝送装置Ｓの給電装置と受電装置の具体的な構成及び構造について、図６乃至図８を用いて説明する。
【００３８】
図６に示すように、給電装置Ｂは、給電コア６２に実装される給電コイル６１と、給電部６３と、検出部６４と、を備えて構成されている。なお、図示しないが、給電コア６２には環状の溝が形成されており、この溝には、環状の給電コイル６１が載置され取り付けられている。
【００３９】
また、給電装置Ｂの給電部６３には、例えば、壁の内部に配線された交流１００ボルトの電力が供給される電力線が接続されている電源部６８と電気的に接続されて給電ユニットＢＵが構成されている。
【００４０】
この構成において、電力線から交流電流Ｓ100が供給されると、実際にはいわゆるＡＣアダプタ等として構成される電源部６８は、当該交流電流Ｓ100を、例えばコイル給電用として直流４８ボルト及び制御用として直流１２ボルトの電源電流に変換し、電源信号Ｓbとして給電部６３に出力する。
【００４１】
一方、例えばフォトリフレクター等により構成される検出部６４は、給電コア６２と後述する受電コア５２とが平行に対向する位置に受電装置Ａが存在しているか否かを光学的に検出し、当該受電装置Ａがその位置にあることを示す検出信号Ｓｆを生成して給電部６３に出力する。
【００４２】
これにより、給電部６３は、電源信号Ｓbを予め設定された周波数（例えば２０キロヘルツ）を有するパルス状の給電信号Ｓsに変換し、検出部６４から上記検出信号Ｓdが出力されているときのみ、すなわち、検出部６４において、給電装置Ｂが受電装置Ａに重ね合わせて配置されている（給電コア６２と受電コア５２とが平行に対向する位置に配置されている）ことが確認されたときのみ上記給電信号Ｓsを給電コイル６１に供給する。
【００４３】
また、給電装置Ｂは、図７（Ａ）、（Ｂ）に示すように、全体が矩形平板状に形成され、長手方向一側に配置され、かつ電源部６８に接続されるリード線９１ａからなる導線９１と、エポキシ樹脂にガラス不織布を織り込んで積層プレスして作られたガラスエポキシ樹脂により成形された被覆板としてのカバーシート９２と、後述するポット型の給電コア６１を介してカバーシート９２に対向して配置され、ガラスエポキシ樹脂、ポリイミド樹脂により長方形の薄板状に形成された給電部６３や検出部６４を含む回路基板９３と、カバーシート９２と回路基板９３との間で長手方向他側に配置されたポット型の給電コア６１と、この給電コア６１に形成された溝に装着された上記給電コイル６２と、を備えて構成されている。
【００４４】
また、給電装置Ｂは、給電コイル６２に接続される給電回路からなる上記給電部６３と、導線３８の近傍に配置され、給電コア６１と同一の設置高さでＡＢＳ樹脂やアルミニウム等から円筒状に形成された導光部材としての２つの導光管９４内にそれぞれ配置されている検出部６４として機能するフォトトランジスタ９６と、を備えている。また、カバーシート９２と回路基板９３との間には、受電装置Ａと同様に各構成要素を位置決め固定するためにウレタン樹脂等の非導電性の充填材９５で充填されている。このとき、給電コア６１及び２つの導光管９４によりカバーシート９２と回路基板９３との間隔が一定に保持される。これにより、２つの導光管９４は、充填材９５を充填する際のスペーサとしての機能も有することになる。
【００４５】
また、導光管９４は、充填材９５で充填される前にその一端が回路基板９３に接着され、他端がカバーシート９２に接着されることで、導光管９４は回路基板９３及びカバーシート９２の双方に固定されている。
【００４６】
なお、フォトトランジスタ９６の設置部位のカバーシート９２には、フォトトランジスタ９６の送受信を行う際の赤外光を妨げないように印刷を行わない透光部９２ａが設けられている。
【００４７】
一方、受電装置Ａは、受電コア５２に実装される受電コイル５１と、受電回路を含む受電部５３と、受電した電圧をディスプレイ７０を駆動するための電圧に昇圧する変圧部５４と、ディスプレイ７０を駆動する駆動部５５と、を備えて構成されている。なお、図示しないが、受電コア５２には環状の溝が形成されており、この溝には、環状の受電コイル５１が載置され取り付けられている。
【００４８】
また、受電装置Ａには、ディスプレイ７０が電気的に接続されて受電ユニットＡＵが構成されている。
【００４９】
受電装置Ａは、図８（Ａ）、（Ｂ）に示すように、給電装置Ｂと同様の外形構造からなり、全体が矩形平板状に形成され、長手方向一側に配置され、かつディスプレイ７０に接続されるリード線８１ａからなる導線８１と、エポキシ樹脂にガラス不織布を織り込んで積層プレスして作られたガラスエポキシ樹脂により成形された被覆板としてのカバーシート８２と、後述するポット型の受電コア５１を介してカバーシート８２に対向して配置され、ガラスエポキシ樹脂、ポリイミド樹脂により長方形の薄板状に形成された回路基板８３と、カバーシート８２と回路基板８３との間で長手方向他側に配置されたポット型の受電コア５１と、この受電コア５１に形成された溝に装着された上記受電コイル５２と、を備えて構成されている。
【００５０】
また、受電装置Ａは、受電コイル５２に接続される受電回路からなる上記受電部５３と、この受電部５３と導線８１との間に配置された駆動回路及び変圧回路からなる駆動部５５及び変圧部５４と、を備えて構成されている。また、変圧部５４には、図１に示す変圧器１０を実装している。これにより、変圧器１０を薄型に出来るので、受電装置Ａ全体の厚さを薄くすることが可能となっている。
【００５１】
なお、カバーシート８２と回路基板８３との間は、各構成要素を位置決め固定するためにウレタン樹脂等の非導電性の充填材８４で充填されている。このとき、カバーシート８２と回路基板８３との間隔は一定に保持されて形成されている。
【００５２】
この構成において、給電時には、図５に示すように、受電装置Ａが給電装置Ｂに重ね合わされ、近接させて配置された状態において、受電コア５２は給電コア６２と近接・平行に対向する位置にあり、これにより前記給電コイル６１と受電コイル５１との間に電磁誘導回路が構成される。そして、この状態で給電コイル６１に対して上記給電信号Ｓsが供給されると、その大きさに対応した誘導起電力が受電コイル５１に発生することで当該受電コイル５１から受電部５３に対して受電信号Ｓpsが出力される。
【００５３】
次に、受電信号Ｓpsが入力された受電部５３は、変圧部５４に対して変圧信号Ｓaeを出力する。
【００５４】
次に、変圧信号Saeが入力された変圧部５４は、当該変圧信号Ｓaeにおける電流及び電圧を所定の電圧に変圧（本実施形態の場合は、昇圧）し、駆動部５５に対して駆動信号Ｓrbとして出力する。
【００５５】
これにより、駆動部５５は、当該駆動信号Ｓrbに基づいてディスプレイ７０駆動用の駆動信号Ｓdを生成し、この駆動信号Ｓdを当該ディスプレイ７０に出力して掲示物としての表示を当該ディスプレイ７０上で行わせることが可能となる。
【００５６】
また、特に図示しないが、給電装置Ｂは、基板上に、給電コア／コイル６１、６２、給電部６３や検出部６４として機能する所定の素子群からなる回路が配置されて構成されている。また、受電装置Ａは、基板上に受電コア／コイル５１、５２、受電部５３として機能する所定の素子群からなる回路、変圧部５４として機能する変圧器１０（図１参照）が配置されて構成されている。このように、本実施形態に係る変圧器１０は薄型のため、受電装置Ａを薄型に製造することが可能となっている。
【００５７】
また、本実施形態の受電装置Ａでは、変圧部５４における周波数（例えば、４１０ｋＨｚ）は、電力伝送時の周波数（例えば、２９２ｋＨｚ）と干渉しない周波数としている。
【図面の簡単な説明】
【００５８】
【図１】本願の変圧器の構成図である。
【図２】本願の変圧器の内部の構造を示す断面図である。
【図３】一次側コイルと二次側コイルの配線状態を示す図である。
【図４】本願の変圧器の平面図である。
【図５】本願の変圧器を適用した掲示物表示装置の概要を示す外観斜視図である。
【図６】本願の変圧器を適用した掲示物表示装置の構成を示すブロック図である。
【図７】本願の変圧器を適用した掲示物表示装置の給電装置の全体構造図である。
【図８】本願の変圧器を適用した掲示物表示装置の受電装置の全体構造図である。
【符号の説明】
【００５９】
１０  変圧器
１１  一次側コイルユニット
１６  二次側コイルユニット
２０  コイル体
２０ａ  孔
２１ａ  導体パターン
【図１】
2007157782.tif 000003
【図２】
2007157782.tif 000004
【図３】
2007157782.tif 000005
【図４】
2007157782.tif 000006
【図５】
2007157782.tif 000007
【図６】
2007157782.tif 000008
【図７】
2007157782.tif 000009
【図８】
2007157782.tif 000010